(57)【要約】      （修正有）【課題】排水トラップの前方側と後方側とで偏って洗浄水に置換されることを抑制することができ、置換率を向上させることができる小便器を提供する。【解決手段】目皿８の天板部９が排水筒６の上部開口１１を覆い、目皿８の筒状部１０が溜水部７へ挿入されるように取り付けられることで排水トラップが形成される小便器において、排水トラップのうち少なくともボウル部の底部５の内周壁面５ａと筒状部１０の外周壁面１０ａとの間隔を狭くするように形成され、後方から前方へ向かう洗浄水の流れを抑制する流れ抑制手段１８を有する。【選択図】図３
2015187357.tif 000002
【特許請求の範囲】
【請求項１】
上方に向け開口し洗浄水の供給を受けるボウル部と、このボウル部の底部に立設され、上下開口した排水筒と、この排水筒の周囲に設けられ、前記洗浄水を溜める溜水部と、天板部とこの天板部から突出する筒状部とを有する目皿と、を備え、前記目皿の前記天板部が前記排水筒の上部開口を覆い、前記筒状部が前記溜水部へ挿入されるように取り付けられることで、排水トラップが形成される小便器において、
前記排水トラップのうち少なくとも前記ボウル部の底部の内周壁面と前記筒状部の外周壁面との間隔を狭くするように形成され、後方から前方へ向かう洗浄水の流れを抑制する流れ抑制手段を有することを特徴とする小便器。
【請求項２】
前記流れ抑制手段は、前記筒状部の外周壁面から外方および前記底部の内周壁面から内方のうち少なくとも一方に向けて凸設するリブであり、
前記リブは、上下方向に形成され、且つ、前記筒状部の外周壁面と前記底部の内周壁面との間に所定間隔の隙間を有するように形成されていることを特徴とする請求項１に記載の小便器。
【請求項３】
前記リブは、前記溜水部の前後方向に延びる中心線に対し、略対称に形成されていることを特徴とする請求項２に記載の小便器。
【請求項４】
前記流れ抑制手段は、前記筒状部の外周壁面および前記底部の内周壁面のうちいずれか一方における横断面の形状が円形状、他方が楕円形状をなし、前記楕円形状の短径および長径のうちいずれか一方と前記円形状の直径との差により前記筒状部の外周壁面と前記底部の内周壁面との間に所定間隔の隙間を有するように構成されてなるか、若しくは前記筒状部の外周壁面および前記底部の内周壁面のいずれも横断面の形状が楕円形状をなし、前記筒状部の外周壁面の楕円形状の長径と前記溜水部の内周壁面の楕円形状の短径の差により前記筒状部の外周壁面と前記溜水部の内周壁面との間に前記所定間隔の隙間を有するように構成されてなることを特徴とする請求項１に記載の小便器。
【発明の詳細な説明】
【技術分野】
【０００１】
本発明は、小便器に関する。
【背景技術】
【０００２】
従来、水洗式の小便器では、排水路からの異臭の逆流や害虫等の侵入の防止、排水口から異物等が排水路へ流入することを防止する目的で、着脱可能な目皿を被せて使用されているものが知られている。このような小便器の一例が特許文献１に開示されている。
【０００３】
特許文献１に記載されている小便器では、上方に向け開口し洗浄水の供給を受けるボウル部と、このボウル部の底部に立設され、上下開口した排水筒と、この排水筒の周囲に設けられ、洗浄水を溜める溜水部と、天板部とこの天板部から突出する筒状部とを有する目皿と、ボウル部の背面部に設けられた吐水部とを備えている。このような小便器では、目皿の天板部が排水筒の上部開口を覆い、筒状部が溜水部へ挿入されるように取り付けられることで排水トラップが形成される。排水トラップに所定量の水が溜められて溜水となっており、この溜水によって所定の高さまでの封水が確保されている。
【０００４】
特許文献１に記載されている小便器では、小便器を使用して排尿を行うと、排水トラップ内に尿が流れ込み、流れ込んだ尿によって溜水の一部が排出され、排水トラップ内は尿と水とが混在した状態となる。排尿後にボウル部に吐水部から洗浄水を流すとその洗浄水が排水トラップ内に流れ込み、尿と洗浄水とが混在した状態の液体を排出させ洗浄水に置換することで排水トラップ内を洗浄し、封水を確保する。
【０００５】
このようにボウル部に洗浄水を流して排水トラップ内の尿を洗浄水に置換するにあたっては、置換後の状態すなわち洗浄後の状態において、排水トラップ内に残存する尿が可能な限り少なくなることが好ましいものである。しかしながら、置換率を上げて排水トラップ内の尿の略全量を洗浄水によって置換しようとすれば、排水トラップ内の溜水量に対して供給する洗浄水量を増やす必要がある。
【先行技術文献】
【特許文献】
【０００６】
【特許文献１】特開２０１３−７６２８５号公報
【発明の概要】
【発明が解決しようとする課題】
【０００７】
一方、近年の環境意識の高まりを受けて、節水志向も更に高まっており、洗浄水量を極力少なくすることが求められている。
【０００８】
そこで本発明者らは、特許文献１に示すような小便器において洗浄水量を少なくした状態において、ボウル部に洗浄水を流して排水トラップ内の尿を洗浄水に置換する際に排水トラップ内でどのような事象が発生するかを検証した。
【０００９】
検証の結果、ボウル部の形状および吐水部の配置関係より、吐水部から洗浄水を流すと排水トラップ内で後方から前方へ向かう流れが形成されてしまい、置換率が低くなってしまうことを発見した。具体的には、吐水部から洗浄水を流すと排水トラップ内で後方から前方へ向かう流れが形成されてしまい、排水トラップの前方側では尿と水とが混在した状態の液体が洗浄水に置換されやすいが、排水トラップの後方側では尿と水とが混在した状態の液体が残りやすいことを発見した。なお、置換率とは、排尿後の排水トラップ内の尿と洗浄水とが混在した状態の液体が洗浄水にどれだけ置き換わったかを示すものである。
【００１０】
本発明は、上記課題を解決するためになされたものであり、排水トラップの前方側と後方側とで偏って洗浄水に置換されることを抑制することができ、置換率を向上させることができる小便器を提供することを目的とする。
【課題を解決するための手段】
【００１１】
上記目的を実現するため、本発明のうち第１の態様に係る小便器においては、上方に向け開口し洗浄水の供給を受けるボウル部と、このボウル部の底部に立設され、上下開口した排水筒と、この排水筒の周囲に設けられ、前記洗浄水を溜める溜水部と、天板部とこの天板部から突出する筒状部とを有する目皿と、を備え、前記目皿の前記天板部が前記排水筒の上部開口を覆い、前記筒状部が前記溜水部へ挿入されるように取り付けられることで、排水トラップが形成される小便器において、前記排水トラップのうち少なくとも前記ボウル部の底部の内周壁面と前記筒状部の外周壁面との間隔を狭くするように形成され、後方から前方へ向かう洗浄水の流れを抑制する流れ抑制手段を有することを特徴とする。
【００１２】
このような構成の小便器によれば、排水トラップのうち少なくとも底部の内周壁面と筒状部の外周壁面との間隔を狭くするように形成され、後方から前方へ向かう洗浄水の流れを抑制する流れ抑制手段を有する。これにより、吐水部から洗浄水を吐水することで排水トラップ内に形成される後方から前方へ向かう流れを抑制することができ、排水トラップの前方側では尿と水とが混在した状態の液体は置換されるが、排水トラップの後方側では尿と水とが混在した状態の液体が残ってしまうことを抑制することができる。すなわち、排水トラップの前方側と後方側とで偏って洗浄水に置換されることを抑制することができる。その結果、置換率を向上させることができる。
【００１３】
本発明のうち第２の態様に係る小便器は、前記流れ抑制手段は、前記筒状部の外周壁面から外方および前記底部の内周壁面から内方のうち少なくとも一方に向けて凸設するリブであり、前記リブは、上下方向に形成され、且つ、前記筒状部の外周壁面と前記底部の内周壁面との間に所定間隔の隙間を有するように形成されていることを特徴とする。
【００１４】
このような構成の小便器によれば、流れ抑制手段は、筒状部の外周壁面から外方および底部の内周壁面から内方のうち少なくとも１つにおいて凸設するリブであり、リブは上下方向に形成され且つ筒状部の外周壁面と底部の内周壁面との間に所定間隔の隙間を有する。これにより、排水トラップのうち少なくとも底部の内周壁面と筒状部の外周壁面との間隔を狭くすることができ、その結果、吐水部から洗浄水を吐水することで排水トラップ内に形成される後方から前方へ向かう洗浄水の流れを抑制することができる。よって、追加部品を設けずに、排水トラップの前方側と後方側とで偏って洗浄水に置換されることを抑制することができ、置換率を向上させることができる。
【００１５】
本発明のうち第３の態様に係る小便器は、前記リブは、前記溜水部の前後方向に延びる中心線に対し、略対称に形成されていることを特徴とする。
【００１６】
このような構成の小便器によれば、リブは、溜水部の前後方向に延びる中心線に対し、略対称に形成されている。これにより、吐水部から洗浄水を吐水することで排水トラップ内に形成される後方から前方へ向かう洗浄水の流れを左右略均等に抑制することができる。よって、排水トラップの前方側と後方側とで偏って洗浄水に置換されることをより抑制することができ、より置換率を向上させることができる。
【００１７】
本発明のうち第４の態様に係る小便器は、前記流れ抑制手段は、前記筒状部の外周壁面および前記底部の内周壁面のうちいずれか一方における横断面の形状が円形状、他方が楕円形状をなし、前記楕円形状の短径および長径のうちいずれか一方と前記円形状の直径との差により前記筒状部の外周壁面と前記底部の内周壁面との間に所定間隔の隙間を有するように構成されてなるか、若しくは前記筒状部の外周壁面および前記底部の内周壁面のいずれも横断面の形状が楕円形状をなし、前記筒状部の外周壁面の楕円形状の長径と前記溜水部の内周壁面の楕円形状の短径の差により前記筒状部の外周壁面と前記溜水部の内周壁面との間に前記所定間隔の隙間を有するように構成されてなることを特徴とする。
【００１８】
このような構成の小便器によれば、流れ抑制手段は、筒状部の外周壁面および底部の内周壁面のうちいずれか一方における横断面の形状が円形状、他方が楕円形状をなし、楕円形状の短径と円形状の直径の差により筒状部の外周壁面と底部の内周壁面との間に所定間隔の隙間を有するように構成されてなる。これにより、排水トラップのうち少なくとも底部の内周壁面と筒状部の外周壁面との間隔を狭くすることができ、その結果吐水部から洗浄水を吐水することで排水トラップ内に形成される後方から前方へ向かう洗浄水の流れを抑制することができる。よって、追加部品を設けずに、排水トラップの前方側と後方側とで偏って洗浄水に置換されることを抑制することができ、置換率を向上させることができる。
【発明の効果】
【００１９】
本発明の態様によれば、排水トラップの前方側と後方側とで偏って洗浄水に置換されることを抑制することができ、置換率を向上させることができる。
【図面の簡単な説明】
【００２０】
【図１】本発明の第１の実施形態にかかる小便器を示す正面図である。
【図２】本発明の第１の実施形態にかかる小便器を示す部分断面図である。
【図３】本発明の第１の実施形態にかかる小便器の部分分解斜視図である。
【図４】図２のＡ−Ａ部分断面図である。
【図５】本発明の第２の実施形態にかかる小便器を示す部分断面図である。
【発明を実施するための形態】
【００２１】
以下、添付図面により、本発明の第１の実施形態にかかる小便器を説明する。
まず、図１および図２を参照して、本発明の第１の実施形態にかかる小便器の概要について説明する。図１は本発明の第１の実施形態にかかる小便器を示す正面図であり、図２は本発明の第１の実施形態にかかる小便器を示す部分断面図である。
【００２２】
図１に示すように、小便器１は、上向きに開口したボウル形状で形成され使用者が排泄した排泄物等を受けるボウル部２と、洗浄水源（図示なし）から供給された洗浄水をボウル部２の内面全体に行き渡せるようボウル部２に洗浄水を吐水する吐水部４を備えている。吐水部４は、ボウル部２の上方且つ左右方向における中央位置に設けられている。
【００２３】
さらに、図２に示すように、小便器１は、ボウル部２の下方であるボウル部２の底部５に立設され、上下開口した円筒形状である排水筒６と、この排水筒６の周囲に設けられ、洗浄水を溜める溜水部７と、排水筒６を覆う目皿８と、を備えている。排水筒６は、底部５と連続して形成されている。排水筒６の下流側は建物の壁面内等に配置された配管（図示せず）と連結し排泄物等を排出することができるようになっている。溜水部７は、排水筒６の外周壁面６ａ（図３参照）とボウル部２の底部５の内周壁面５ａおよび底面５ｂとで形成されており、凹状をなしている。目皿８は、天板部９と、この天板部９から溜水部７向けて下方に突出した筒状部１０と、を有している。目皿８は、目皿８の天板部９が排水筒６の上部開口１１を覆い、筒状部１０が溜水部７へ挿入されるように取り付けられる。目皿８がボウル部２の底部５に取り付けられることで、排水トラップ１２が形成される。具体的には、排水トラップ１２は、目皿８の筒状部１０、底部５とで構成されている。
【００２４】
次に、図３および図４を参照して、本発明の第１の実施形態にかかる溜水部７と目皿８について、説明する。図３は、本発明の第１の実施形態にかかる小便器の部分分解斜視図である。図４は、図２のＡ−Ａ部分断面図である。具体的には、目皿８をボウル部２の底部５に取り付けた状態における横断面図である。
【００２５】
図３に示すように、目皿８の天板部９は、上面の左右方向略中央から上方へ向けて凸設する着脱操作部１４が形成されている。着脱操作部１４は、左右方向に貫通する貫通孔１６を有している。目皿８の筒状部１０は、外周壁面１０ａから外方へ向けて凸設するリブ１８が形成されている。
【００２６】
リブ１８は、筒状部１０の外周壁面１０ａの上下方向に亘って形成されている。具体的には、天板部９の下面から筒状部１０の端部まで延在している。リブ１８の高さ、すなわち筒状部１０の外周壁面１０ａから凸設した分長さは、目皿８がボウル部２に取り付けられた状態で、筒状部１０の外周壁面１０ａと底部５の内周壁面５ａとの間に所定間隔の隙間を有するように形成されている。具体的には、リブ１８の先端面１８ａと底部５の内周壁面５ａとの間に所定間隔の隙間２０を有するように形成されている。
【００２７】
また、図４に示すように、リブ１８は２つ形成されている。これらのリブ１８は、目皿８の前後方向に延びる中心線（中心線Ｂ）に対し対称に形成されている。言い換えると、２つのリブ１８は、筒状部１０の中心を通る直線上にそれぞれ形成されている。目皿８は、２つのリブ１８を結ぶ直線が、排水筒６の前後方向に延びる中心線(中心線Ｂ)と直交するようにボウル部２に取り付けられる。なお、目皿８は、天板部９、着脱操作部１４および筒状部１０は何れも合成樹脂等の撥水性を有した材料からなり、一体成形されている。目皿８は、陶器でもよい。また、排水筒６と目皿８の筒状部１０と底部５は、同心軸上となるように形成されている。
【００２８】
図４に示すように、吐水部４から給水され、底部５へと流れてきた洗浄水は、底部５の内周壁面５ａと筒状部１０の外周壁面１０ａとの間の流路を、例えば、矢印Ｗ１のように流れる。矢印Ｗ１のように流れてきた水は、矢印Ｗ２のようにリブ１８により形成された底部４の内周壁面５ａと筒状部１０の外周壁面１０ａとの隙間２０を通りぬけていく。この隙間２０を通り抜けた後の洗浄水の水量は、隙間２０を通りぬける前の洗浄水の水量よりも少ない。すなわち、リブ１８により、排水トラップ１２内で後方から前方へ向かう流れを抑制することができる。
【００２９】
本実施形態にかかる小便器１では、使用者が排尿を行うと、目皿８とボウル部２の底部５の間から排水トラップ１２内に尿が流れ込み、流れ込んだ尿によって溜水の一部が排出され、排水トラップ１２内は尿と洗浄水とが混在した状態となる。排尿後に、ボウル部２を洗浄するために吐水部４から洗浄水を流すと、吐水部４から吐水された洗浄水は、ボウル部２に沿って底部５へと流れていく。そして底部５へと流れてきた洗浄水は、底部５の内周壁面５ａと目皿８の筒状部１０の外周壁面１０ａとの間の流路へ流れ込み、目皿８の筒状部１０の内周壁面１０ｂと排水筒６の外周壁面６ａとの間の流路へ流れていく（図４参照）。そして、排水トラップ１２内に流れ込んできた洗浄水により、排水トラップ１２内の尿と洗浄水とが混在した状態の液体は排出され、洗浄水に置換される。
【００３０】
本実施形態にかかる小便器１では、排水トラップ１２のうちボウル部２の底部５の内周壁面５ａと筒状部１０の外周壁面１０ａとの間隔を狭くするように形成され、後方から前方へ向かう洗浄水の流れを抑制する流れ抑制手段として、２つのリブ１８が形成されている。この２つのリブ１８により、排水トラップ１２のうち底部５の内周壁面５ａと筒状部１０の外周壁面１０ａとの間隔を狭くすることができる。そのため、２つのリブ１８により、吐水部４から洗浄水を吐水することで排水トラップ１２内に形成される後方から前方へ向かう流れを抑制することができる。そのため、排水トラップの前方側における置換率を維持したまま、排水トラップ１２の後方側における置換率を従来に比べて向上させることができる。すなわち、排水トラップの前方側と後方側とで偏って洗浄水に置換されることを抑制することができる。その結果、排水トラップ１２内全体の置換率を向上させることができる。
【００３１】
ここで、置換率は、例えば、排尿後の排水トラップ１２内の濃度と、洗浄後の排水トラップ１２内の濃度を測定することで算出することができる。具体的には、排尿後の排水トラップ１２内の濃度と洗浄後の排水トラップ１２内の濃度が、それぞれＸ［％］、Ｙ［％］とすると、式（１）に基づいて、置換率を算出することができる。なお、置換率の求め方は、これに限らない。
【００３２】
【数１】
2015187357.tif 000003
【００３３】
また、リブ１８をリブ１８の先端面１８ａと底部５の内周壁面５ａとの間に所定間隔の隙間２０を有しないように形成すると、排水トラップの後方側では尿と水とが混在した状態の液体は洗浄水に置換されるが、排水トラップの前方側では尿と水とが混在した状態の液体が残ってしまう。一方、本実施形態にかかる小便器１では、リブ１８は、リブ１８の先端面１８ａと底部５の内周壁面５ａとの間に所定間隔の隙間２０を有するように形成されているため、排水トラップ１２の前方側と後方側とで偏って洗浄水に置換されることを抑制することができる。その結果、排水トラップ１２内全体の置換率を向上させることができる。
【００３４】
また、本実施形態にかかる小便器１では、排水トラップ１２のうち底部５の内周壁面５ａと筒状部１０の外周壁面１０ａとの間隔を狭くするように形成され、後方から前方へ向かう洗浄水の流れを抑制する流れ抑制手段として、２つのリブ１８が形成されている。そのため、追加部品を設けずに、排水トラップの前方側と後方側とで偏って洗浄水に置換されることを抑制することができ、排水トラップ１２内全体の置換率を向上させることができる。
【００３５】
なお、本実施形態では、リブ１８は、筒状部１０の外周壁面１０ａから外方へ向けて凸設するよう形成されている例を示したが、これに限らない。例えば、２つのリブを形成する場合、２つのリブのうち１つのリブを、底部５の内周壁面５ａから内方へ向けて凸設するように形成してもよい。また、２つのリブのいずれも底部５の内周壁面５ａから内方へ向けて凸設するように形成してもよい。
【００３６】
また、本実施形態では、２つのリブ１８は、筒状部１０の軸心を通る直線上にそれぞれ形成されているが、これに限らない。例えば、２つのリブ１８を形成する場合、筒状部１０の前後方向の後側、且つ、前後方向に延びる中心線に対し対称となる位置に形成してもよい。
【００３７】
次に、図５を参照して、第１の実施形態の変形例である本発明の第２の実施形態について説明する。図５は、本発明の第２の実施形態にかかる小便器を示す部分断面図である。具体的には、目皿８０をボウル部２の底部５に取り付けた状態における横断面図である。なお、第２の実施形態にかかる小便器１の基本構成については、第１の実施形態で説明した内容と同様であるため、同一の構成には同符号を付し、説明は省略する。
【００３８】
図５に示すように、目皿８０の筒状部１００における横断面の形状は、楕円形状をなしている。筒状部１００の外周壁面１００ａにおける楕円形状の長径Ｃと底部５の内周壁面５ａにおける円形状の直径Ｄとの差により筒状部１００の外周壁面１００ａと底部５の内周壁面５ａとの間に所定間隔の隙間２００を有するように構成されている。なお、本実施形態では、筒状部１００の内周壁面１００ｂおよび外周壁面１００ａともに横断面の形状は楕円形状をなしているが、少なくとも筒状部１００の外周壁面１００ａにおける断面の形状が楕円形状をなしていればよい。なお、目皿８０は、筒状部１００と排水筒６と底部５とが、同心軸上となるように底部５に取り付けられる。
【００３９】
図５に示すように、吐水部４から給水され、底部５へと流れてきた洗浄水は、底部５の内周壁面５ａと筒状部１００の外周壁面１００ａとの間の流路を、例えば、矢印Ｗ３のように流れる。矢印Ｗ３のように流れてきた水は、矢印Ｗ４のように筒状部１００の外周壁面１００ａにおける横断面の形状と、底部５の内周壁面５ａにおける横断面の形状により形成された底部４の内周壁面５ａと筒状部１０の外周壁面１０ａとの隙間２００を通りぬけていく。この隙間２００を通り抜けた後の洗浄水の水量は、隙間２００を通りぬける前の洗浄水の水量よりも少ない。すなわち、排水トラップ１２内で後方から前方へ向かう流れを抑制することができる。
【００４０】
本実施形態にかかる小便器１では、使用者が排尿を行うと、目皿８０とボウル部２の底部５の間から排水トラップ１２内に尿が流れ込み、流れ込んだ尿によって溜水の一部が排出され、排水トラップ１２内は尿と洗浄水とが混在した状態となる。排尿後に、ボウル部２を洗浄するために吐水部４から洗浄水を流すと、吐水部４から吐水された洗浄水は、ボウル部２に沿って底部５へと流れていく。そして底部５へと流れてきた洗浄水は、底部５の内周壁面５ａと目皿８０の筒状部１００の外周壁面１００ａとの間の流路へ流れ込み、目皿８０の筒状部１００の内周壁面１００ｂと排水筒６の外周壁面６ａとの間の流路へ流れていく（図４参照）。そして、排水トラップ１２内に流れ込んできた洗浄水により、排水トラップ１２内の尿と洗浄水とが混在した状態の液体は排出され、洗浄水に置換される。
【００４１】
本実施形態にかかる小便器１では、目皿８０の筒状部１００の外周壁面１００ａにおける横断面の形状は、楕円形状をなしており、底部５の内周壁面５ａにおける横断面の形状は、円形状をなしている。筒状部１００の外周壁面１００ａにおける楕円形状の長径Ｃと底部５の内周壁面５ａにおける円形状の直径Ｄとの差により筒状部１００の外周壁面１００ａと底部５の内周壁面５ａとの間に所定間隔の隙間２００を有するように構成されている。これにより、排水トラップ１２のうち底部５の内周壁面５ａと筒状部１０の外周壁面１００ａとの間隔を狭くすることができ、その結果、吐水部４から洗浄水を吐水することで排水トラップ１２内に形成される後方から前方へ向かう洗浄水の流れを抑制することができる。そのため、排水トラップの前方側における置換率を維持したまま、排水トラップ１２の後方側における置換率を従来に比べて向上させることができる。すなわち、排水トラップの前方側と後方側とで偏って洗浄水に置換されることを抑制することができる。その結果、排水トラップ１２内全体の置換率を向上させることができる。よって、追加部品を設けずに、排水トラップの前方側と後方側とで偏って洗浄水に置換されることを抑制することができ、排水トラップ１２内全体の置換率を向上させることができる。
【００４２】
なお、本実施形態では、目皿８０の筒状部１００における横断面の形状は、楕円形状をなしており、底部５の内周壁面５ａにおける横断面の形状は、円形状をなしている例を示したが、これに限らない。例えば、目皿の筒状部の外周壁面における横断面の形状は、円形状をなしており、底部の内周壁面における横断面の形状は、楕円形状をなしていてもよい。この場合、筒状部の外周壁面における円形状の直径と底部５の内周壁面５ａにおける円形状の短径との差により筒状部の外周壁面と底部の内周壁面との間に所定間隔の隙間を有することとなる。また、目皿８０の筒状部の外周壁面における横断面の形状および底部の内周壁面における横断面の形状は、楕円形状をなしていてもよい。この場合、筒状部の外周壁面における楕円形状の長径と、底部の内周壁面の楕円形状の短径の差により所定間隔の隙間を有することとなる。
【００４３】
なお、本発明の各実施形態では排水筒６をボウル部２の底部５と一体に形成した場合を示しているが、このような実施形態に限定されるものではなく、排水筒をボウル部とは別体に樹脂等の別部材で構成しても良い。
【００４４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、小便器などが備える各要素の形状、寸法、材質、配置などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００４５】
１  小便器
２  ボウル部
４  吐水部
５  底部
５ａ  内周壁面
５ｂ  底面
６  排水筒
６ａ  外周壁面
６ｂ  内周壁面
７  溜水部
８、８０  目皿
９  天板部
１０、１００  筒状部
１０ａ、１００ａ  外周壁面
１０ｂ、１００ｂ  内周壁面
１１  上部開口
１２  排水トラップ
１４  着脱操作部
１６  貫通孔
１８  リブ
１８ａ  先端面
２０、２００  隙間
【図２】
2015187357.tif 000004
【図４】
2015187357.tif 000005
【図５】
2015187357.tif 000006
【図１】
2015187357.tif 000007
【図３】
2015187357.tif 000008